(57)【要約】【課題】内、外カバー板のそれぞれ回動のための占有空間を含む小物収納、保持装置の占有空間をコンパクトにできるようにする。【解決手段】車両における小物収納、保持装置は、車室３内の固定側部材４に形成され、小物１５，１６を収納可能とする収納凹部２２と、固定側部材４に枢支軸２６により往、復回動Ａ，Ｂ可能に枢支され、往回動Ａにより収納凹部２２の開口２３を閉じると共に、面方向の中途部に小物１６を挿入させて保持可能とする保持口２８が形成された内カバー板２７と、固定側部材４に枢支軸２６により往、復回動Ａ，Ｂ可能に枢支され、往回動Ａにより内カバー板２７の外面に重ねられる外カバー板３１とを備える。両枢支軸２６が互いに兼用されるようにする。内、外カバー板２７，３１の各回動端側における内カバー板２７の保持口２８の口縁部と外カバー板３１の外端縁部との間に、乗員の指が挿入可能とされる操作孔３５を形成する。【選択図】図１
2015003558.tif 000002
【特許請求の範囲】
【請求項１】
車室内の固定側部材に車室に向かって開くよう形成され、小物を収納可能とする収納凹部と、上記固定側部材に枢支軸により往、復回動可能に枢支され、その往回動により上記収納凹部の開口を外方から閉じると共に、面方向の中途部に小物を挿入させて保持可能とする保持口が形成された内カバー板と、上記固定側部材に枢支軸により往、復回動可能に枢支され、その往回動により上記内カバー板の外面に外方から重ねられる外カバー板とを備えた車両における小物収納、保持装置において、
上記両枢支軸が互いに兼用されるようにし、
上記内、外カバー板の各回動端側における上記内カバー板の保持口の口縁部と上記外カバー板の外端縁部との間に、乗員の指が挿入可能とされる操作孔を形成したことを特徴とする車両における小物収納、保持装置。
【発明の詳細な説明】
【技術分野】
【０００１】
本発明は、車室内の固定側部材に形成された収納凹部の開口を、上記固定側部材にそれぞれ枢支された内、外カバー板により開閉できるようにした車両における小物収納、保持装置に関するものである。
【背景技術】
【０００２】
車両の一例としての自動車では、その車体内部が車室とされ、この車室には、通常、固定側部材として、車室の前面を形成し種々の計器類などが設置されるインスツルメントパネルや、車室の下面を形成するフロアパネル上を上記インスツルメントパネル側から車体の後方に向かって延びるフロアコンソールボックスが設けられる。
【０００３】
上記構成においてい、車両における小物収納、保持装置には、従来、下記特許文献１に示されるものがある。この公報のものによれば、小物収納、保持装置は、上記フロアコンソールボックスに車室に向かって開くよう形成され、小物を収納可能とする収納凹部と、上記フロアコンソールボックスに枢支軸により往、復回動可能に枢支され、その往回動により上記収納凹部の開口の一部分を上方から閉じると共に、面方向の中途部に小物を挿入させて保持可能とする保持口が形成された内カバー板と、上記フロアコンソールボックスに他の枢支軸により往、復回動可能に枢支され、その往回動により上記内カバー板の上面に上方から重ねられると共に上記収納凹部の開口を全閉状態にする外カバー板とを備えている。
【０００４】
そして、上記内、外カバー板を共に復回動すれば、上記収納凹部の開口は全開状態とされる。これにより、上記収納凹部に対しその開口を通し小物の出し入れ操作ができる。
【０００５】
また、上記状態から、内カバー板を往回動させて上記収納凹部の開口の一部分を閉じ、上記内カバー板の保持口に飲料用カップなどの小物を挿入すれば、この小物は、上記収納凹部の底面上に載置されると共に、その長手方向の中途部が上記保持口の口縁部に囲繞され、これにより、上記小物が転倒することは防止されて縦向き姿勢に保持される。
【０００６】
また、上記状態から、上記小物の保持を解除し、かつ、上記外カバー板を往回動すれば、上記収納凹部の開口が全閉状態とされて、上記収納凹部内の閉じられた空間に小物が収納可能とされる。
【先行技術文献】
【特許文献】
【０００７】
【特許文献１】実開昭６１−１１３１５０号公報
【発明の概要】
【発明が解決しようとする課題】
【０００８】
ところで、上記従来の技術によれば、固定側部材に対し内、外カバー板は個別に設けられた枢支軸によりそれぞれ枢支されている。
【０００９】
このため、第１に、上記内、外カバー板の周りには、これらカバー板のそれぞれ回動のための占有空間が必要となる。よって、その分、上記占有空間を含む小物収納、保持装置は、上記収納凹部の開口から見て過大に大きい装置となりがちであり、これは、余剰空間が狭い車室にとって好ましくない。
【００１０】
また、第２に、上記内、外カバー板を回動操作する場合には、これら各カバー板に対し、それぞれ互いに異なる位置で操作することが要求される。よって、これら各カバー板についての回動操作が煩雑になりがちである。
【課題を解決するための手段】
【００１１】
本発明は、上記のような事情に注目してなされたもので、本発明の目的は、固定側部材にそれぞれ回動可能に枢支されて収納凹部の開口をそれぞれ開閉可能とする内、外カバー板を備えた車両における小物収納、保持装置に関し、上記内、外カバー板のそれぞれ回動のための占有空間を含む上記装置の占有空間をコンパクトにできるようにし、かつ、上記内、外カバー板の回動操作が容易にできるようにすることである。
【００１２】
請求項１の発明は、車室３内の固定側部材４に車室３に向かって開くよう形成され、小物１５，１６を収納可能とする収納凹部２２と、上記固定側部材４に枢支軸２６により往、復回動Ａ，Ｂ可能に枢支され、その往回動Ａにより上記収納凹部２２の開口２３を外方から閉じると共に、面方向の中途部に小物１６を挿入させて保持可能とする保持口２８が形成された内カバー板２７と、上記固定側部材４に枢支軸２６により往、復回動Ａ，Ｂ可能に枢支され、その往回動Ａにより上記内カバー板２７の外面に外方から重ねられる外カバー板３１とを備えた車両における小物収納、保持装置において、
上記両枢支軸２６が互いに兼用されるようにし、
上記内、外カバー板２７，３１の各回動端側における上記内カバー板２７の保持口２８の口縁部と上記外カバー板３１の外端縁部との間に、乗員の指が挿入可能とされる操作孔３５を形成したことを特徴とする車両における小物収納、保持装置である。
【００１３】
なお、この項において、上記各用語に付記した符号や図面番号は、本発明の技術的範囲を後述の「実施例」の項や図面の内容に限定解釈するものではない。
【発明の効果】
【００１４】
本発明による効果は、次の如くである。
【００１５】
請求項１の発明は、車室内の固定側部材に車室に向かって開くよう形成され、小物を収納可能とする収納凹部と、上記固定側部材に枢支軸により往、復回動可能に枢支され、その往回動により上記収納凹部の開口を外方から閉じると共に、面方向の中途部に小物を挿入させて保持可能とする保持口が形成された内カバー板と、上記固定側部材に枢支軸により往、復回動可能に枢支され、その往回動により上記内カバー板の外面に外方から重ねられる外カバー板とを備えた車両における小物収納、保持装置において、
上記両枢支軸が互いに兼用されるようにしている。
【００１６】
このため、上記内、外カバー板のそれぞれ上記枢支軸回りの回動のための占有空間は互いに兼用されることとなる。よって、個別に設けられた枢支軸回りに回動する内、外カバー板がそれぞれの回動のために占有空間を必要とする従来の技術のものに比べ、上記小物収納、保持装置によれば、その占有空間をコンパクトにすることができ、これは余剰空間が狭い車両の車室にとって好ましい。
【００１７】
また、上記したように、内、外カバー板をそれぞれ枢支する枢支軸を互いに兼用させたため、内、外カバー板を個別の枢支軸により枢支することに比べて、上記小物収納、保持装置の部品点数を少なくでき、よって、その分、この装置の構成を簡単にできる。
【００１８】
また、上記内、外カバー板の各回動端側における上記内カバー板の保持口の口縁部と上記外カバー板の外端縁部との間に、乗員の指が挿入可能とされる操作孔を形成している。
【００１９】
このため、上記内、外カバー板が互いに重ね合わされており、かつ、上記収納凹部の開口が開き、もしくは閉じられている状態から、上記内、外カバー板を一体的、もしくは個別に回動させるときには、まず、上記操作孔に指を挿入し、この指を上記内カバー板および／もしくは外カバー板に掛合させて回動操作すればよい。よって、上記内、外カバー板の回動操作をする場合に、これら各カバー板に対し、それぞれ互いに異なる位置で操作することに比べて、上記回動操作は、より容易にできて便利である。
【図面の簡単な説明】
【００２０】
【図１】実施例１を示し、小物収納、保持装置の斜視図であって、内カバー板が往回動する一方、外カバー板が復回動した図である。
【図２】実施例１を示し、車室内の斜視図である。
【図３】実施例１を示し、図１に相当する図で、内、外カバー板が共に往回動した図である。
【図４】実施例１を示し、図１に相当する図で、内、外カバー板が共に復回動した図である。
【図５】実施例２を示し、小物収納、保持装置の平面部分破断図である。
【発明を実施するための形態】
【００２１】
本発明の車両における小物収納、保持装置に関し、固定側部材にそれぞれ回動可能に枢支されて収納凹部の開口をそれぞれ開閉可能とする内、外カバー板を備えた場合において、これら内、外カバー板のそれぞれ回動のための占有空間を含む上記装置の占有空間をコンパクトにできるようにし、かつ、上記内、外カバー板についての回動操作が容易にできるようにする、という目的を実現するため、本発明を実施するための形態は、次の如くである。
【００２２】
即ち、車両における小物収納、保持装置は、車室内の固定側部材に車室に向かって開くよう形成され、小物を収納可能とする収納凹部と、上記固定側部材に枢支軸により往、復回動可能に枢支され、その往回動により上記収納凹部の開口を外方から閉じると共に、面方向の中途部に小物を挿入させて保持可能とする保持口が形成された内カバー板と、上記固定側部材に枢支軸により往、復回動可能に枢支され、その往回動により上記内カバー板の外面に外方から重ねられる外カバー板とを備える。
【００２３】
上記両枢支軸が互いに兼用されるようにする。上記内、外カバー板の各回動端側における上記内カバー板の保持口の口縁部と上記外カバー板の外端縁部との間に、乗員の指が挿入可能とされる操作孔が形成される。
【実施例１】
【００２４】
本発明をより詳細に説明するために、その実施例１を添付の図１〜４に従って説明する。
【００２５】
図において、符号１は、自動車で例示される車両であり、矢印Ｆｒは、この車両１の進行方向の前方を示している。また、下記する左右とは、上記車両１の前方に向かっての車体２の幅方向をいうものとする。
【００２６】
車両１の車体２内部が車室３とされ、この車室３には車体２の固定側部材４として、車室３の前面を形成する樹脂製のインスツルメントパネル５と、車体２の一部を構成して車室３の下面を形成するフロアパネル６上を、上記インスツルメントパネル５における車体２の幅方向の中央部から車体２の後方に向かって延びる樹脂製のフロアコンソールボックス７とが設けられ、このフロアコンソールボックス７は上記フロアパネル６に支持されている。
【００２７】
上記インスツルメントパネル５は、車体２の骨格部材を構成する不図示のフロントカウルやダッシュパネルなどに支持されて大きい剛性を有するパネルコア１０と、このパネルコア１０の所定部分を車室３側から覆って上記パネルコア１０に支持され、上記インスツルメントパネル５の見栄えを向上させるパネル本体１１とを有している。
【００２８】
車体２の幅方向の中央部における上記パネル本体１１の下端縁部に切り欠き開口１２が形成される。この切り欠き開口１２は車室３内に向かうよう後上方に向かって開放される。上記切り欠き開口１２と、この切り欠き開口１２に対向する上記パネルコア１０の一部分との間の空間が物入れ用空間とされ、上記パネルコア１０の一部分に、上記切り欠き開口１２を通し第１〜第３小物１４〜１６を収納、保持可能とする小物収納、保持装置１７が設けられる。例えば、上記第１小物１４はティッシュペーパーボックスであり、第２小物１５は縦向きの角筒形状をなす飲料用の紙パックであり、第３小物１６は飲料用のカップである。
【００２９】
上記小物収納、保持装置１７は、上記したパネルコア１０の一部分に形成され、大きい面積であるが、深さが浅い物置凹部１９を備えている。この物置凹部１９は、上記切り欠き開口１２を通し車室３内に向かうよう後上方に向かって開放される。図３で示すように、この物置凹部１９内には上記切り欠き開口１２を通し上記第１小物１４が挿入可能とされ、この第１小物１４は上記物置凹部１９の底部板２０の上面に載置されて収納される。
【００３０】
また、上記小物収納、保持装置１７は、上方に向かって開くよう上記物置凹部１９の底部板２０の一部分に形成される収納凹部２２を備えている。この収納凹部２２は、上記切り欠き開口１２を通し車室３内に向かうよう後上方に向かって開放される。また、上記収納凹部２２は平面視で正方形状をなし、この収納凹部２２には、上記切り欠き開口１２を通し、図４で示すように上記第２小物１５であって縦向き姿勢である紙パックの下部側が出し入れ可能に収納される。そして、このように第２小物１５を収納すれば、上記収納凹部２２に対し上記第２小物１５は、その下部側が大きくはがたつかないよう収納されて転倒が防止され、縦向き姿勢に保持される。また、上記開口２３の開口縁部には、上記底部板２０の上面から見て一段下がる下がり段差面２４が形成される。
【００３１】
また、上記小物収納、保持装置１７は、上記収納凹部２２の開口２３の前部開口縁部に車体２の幅方向に延びる枢支軸２６により往、復（下、上方）回動Ａ，Ｂ可能に枢支される正方形状の樹脂製内カバー板２７を備えている。
【００３２】
図１〜３で示すように、上記内カバー板２７は、その往回動Ａにより上記収納凹部２２の開口２３をその外方である上方から閉じることができる。このように開口２３を閉じた内カバー板２７は、その外縁部が上記下がり段差面２４上に載置される。この場合、上記物置凹部１９の底部板２０の上記一部分を除く他部分の外面である上面と、上記内カバー板２７の外縁部の外面である上面とは互いに面一とされる。一方、図４で示すように、上記内カバー板２７は、その復回動Ｂにより上記収納凹部２２の開口２３を上方に向かって開放可能とする。
【００３３】
特に、図１において、上記内カバー板２７の面方向の中途部（中央部）には、円形の保持口２８が形成される。上記内カバー板２７を往回動Ａさせた状態でにおけるこの内カバー板２７の保持口２８には、上記切り欠き開口１２を通し上記第３小物１６であって縦向き姿勢であるカップが挿抜可能に挿入される。そして、このように第３小物１６を挿入すれば、この第３小物１６は、上記収納凹部２２の底面上に載置されると共に、その上下方向の中途部が上記保持口２８の口縁部に囲繞され、これにより、上記第３小物１６であるカップが転倒することは防止されて縦向き姿勢に保持される。
【００３４】
更に、上記小物収納、保持装置１７は、上記枢支軸２６により、上記収納凹部２２の開口２３の前部開口縁部に往、復（下、上方）回動Ａ，Ｂ可能に枢支される正方形状の樹脂製外カバー板３１を備えている。
【００３５】
図２，３で示すように、上記外カバー板３１は、その往回動Ａにより上記内カバー板２７の外面である上面に重ね合わされて、この内カバー板２７と共に上記収納凹部２２の開口２３をその外方である上方から閉じると共に、上記保持口２８をその外方である上方から閉じる。この場合、上記内カバー板２７の上面の面方向の中途部には、上記往回動Ａした外カバー板３１を嵌脱可能に嵌入させる浅い嵌入凹部３２が形成され、この嵌入凹部３２の底部板に上記保持口２８が形成されている。
【００３６】
上記嵌入凹部３２に嵌入された上記外カバー板３１の上面と、上記内カバー板２７の外縁部の上面とは、前記底部板２０の他部分の上面と共に互いに面一とされる。このため、上記底部板２０、内カバー板２７、および外カバー板３１の各上面により、使い勝手がよく、面積が広い前記第１小物１４用の載置面が形成される。
【００３７】
図１で示すように、上記外カバー板３１は、その復回動Ｂにより上記内カバー板２７の保持口２８をその上方に開放可能とする。また、図４で示すように、上記内カバー板２７と共に外カバー板３１を復回動Ｂすれば、上記収納凹部２２の開口２３は上方に向かって全開状に解放可能とされる。
【００３８】
上記内、外カバー板２７，３１の各回動端側における上記内カバー板２７の保持口２８の口縁部と上記外カバー板３１の外端縁部との間に、乗員の指が挿入可能とされる操作孔３５が形成される。
【００３９】
具体的には、上記内カバー板２７の保持口２８の口縁部にコの字形状の切り欠き３６が形成される。また、上記外カバー板３１の外端縁部にコの字形状の他の切り欠き３７が形成される。そして、これら各切り欠き３６，３７は、その各開口部が対向させられて集合させられることにより、上記操作孔３５が矩形状となるよう形成される。この場合、上記各切り欠き３６，３７の各面積は小さいとしても、これら３６，３７の集合により、指の挿入には十分に大きい操作孔３５が形成される。
【００４０】
そして、図３，４で示されるように、上記内、外カバー板２７，３１が互いに重ね合わされており、かつ、上記収納凹部２２の開口２３が開き、もしくは閉じられている状態から、上記内、外カバー板２７，３１を一体的、もしくは個別に回動させるときには、まず、上記操作孔３５に指を挿入する。そして、この指を上記内カバー板２７の保持口２８の口縁部である上記切り欠き３６に掛合させれば、上記内カバー板２７をこれ単独で、もしくは外カバー板３１と共に往、復回動Ａ，Ｂさせることができる。また、上記操作孔３５に挿入した指を上記外カバー板３１の外縁部である上記他の切り欠き３７に掛合させれば、上記外カバー板３１をこれ単独で往、復回動Ａ，Ｂさせることができる。
【００４１】
上記構成によれば、固定側部材４に対し内、外カバー板２７，３１を枢支するための両枢支軸２６が互いに兼用されている。
【００４２】
このため、上記内、外カバー板２７，３１のそれぞれ上記枢支軸２６回りの回動のための占有空間は互いに兼用されることとなる。よって、個別に設けられた枢支軸回りに回動する内、外カバー板がそれぞれの回動のために占有空間を必要とする従来の技術のものに比べ、上記小物収納、保持装置１７によれば、その占有空間をコンパクトにすることができ、これは一般に余剰空間が狭い車両１の車室３にとって好ましい。
【００４３】
また、上記したように、内、外カバー板２７，３１をそれぞれ枢支する枢支軸２６を互いに兼用させたため、内、外カバー板２７，３１を個別の枢支軸により枢支することに比べて、上記小物収納、保持装置１７の部品点数を少なくでき、よって、その分、この装置１７の構成を簡単にできる。
【００４４】
また、前記したように、上記内、外カバー板２７，３１の各回動端側における上記内カバー板２７の保持口２８の口縁部と上記外カバー板３１の外端縁部との間に、乗員の指が挿入可能とされる操作孔３５を形成している。
【００４５】
このため、上記内、外カバー板２７，３１が互いに重ね合わされており、かつ、上記収納凹部２２の開口２３が開き、もしくは閉じられている状態から、上記内、外カバー板２７，３１を一体的、もしくは個別に回動させるときには、まず、上記操作孔３５に指を挿入し、この指を上記内カバー板２７および／もしくは外カバー板３１に掛合させて回動操作すればよい。よって、上記内、外カバー板２７，３１の回動操作をする場合に、これら各カバー板２７，３１に対し、それぞれ互いに異なる位置で操作することに比べて、上記回動操作は、より容易にできて便利である。
【００４６】
また、前記したように、内カバー板２７に保持口２８を形成し、また、この内カバー板２７の上面に外カバー板３１を重ねたとき、上記内カバー板２７の外縁部の上面と外カバー板３１の上面とが互いに面一となるよう上記内カバー板２７の上面の面方向の中途部に上記外カバー板３１を嵌脱可能に嵌入させる嵌入凹部３２を形成している。
【００４７】
このため、上記内カバー板２７の面方向の中途部には保持口２８と嵌入凹部３２とが形成されて剛性が低下しがちとなるが、この内カバー板２７は、その外縁部の厚さが所定厚さに保たれて所定強度が確保される。よって、この内カバー板２７には保持口２８と嵌入凹部３２とを形成してはいるが、上記保持口２８によれば、上記第３小物１６の保持が強度的に安定した状態で達成できる。
【００４８】
また、上記したように、内カバー板２７の上面に外カバー板３１を重ねたときには、上記内カバー板２７の外縁部の上面と外カバー板３１の上面とが互いに面一となるよう上記嵌入凹部３２に上記外カバー板３１が嵌入されて、これら内、外カバー板２７，３１が一体化される。よって、これら内、外カバー板２７，３１を互いに重ねたときの占有空間は見栄えよくコンパクトにすることができる。
【００４９】
なお、図１中一点鎖線で示すように、上記外カバー板３１における操作孔３５の切り欠き３７の縁部から上記収納凹部２２側に向かって一体的に突出する断面コの字形状の把手４０を形成してもよい。また、このようにした場合には、図３や図４で示すように、上記内、外カバー板２７，３１を互いに重ねるとき、上記把手４０が上記内カバー板２７における操作孔３５の切り欠き３６に挿入可能となるよう、この切り欠き３６を少し大きく形成すればよい。
【００５０】
上記構成によれば、図１で示すように、特に、復回動Ｂ姿勢とした外カバー板３１を往回動Ａさせるとき、車室３側から上記切り欠き開口１２を通し上記把手４０に指を掛けることが容易にできる。よって、上記外カバー板３１を往回動Ａさせる操作が容易にできる。また、図３で示すように、この外カバー板３１が上記収納凹部２２の開口２３を閉じたとき、車室３側から上記切り欠き開口１２および操作孔３５を通し上記収納凹部２２内が容易に見えることは上記把手４０によって抑制される。よって、操作性の点で上記操作孔３５をある程度大きく形成したとしても、車室３の見栄えは良好に維持される。
【００５１】
また、図示しないが、上記収納凹部２２の開口２３は上方の他、車体２内において、後方や側方に向かって開口するものであってもよい。また、上記操作孔３５は、筆記具を差し込んで保持させるように用いてもよい。
【００５２】
以下の図５は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００５３】
本発明をより詳細に説明するために、その実施例２を添付の図５に従って説明する。
【００５４】
図５において、上記内カバー板２７の保持口２８の口縁部は全体的に円形とされ切り欠き３６は形成されていない。一方、上記外カバー板３１の回動端側における外端縁部は全体的に直線的に延び、上記他の切り欠き３７は形成されていない。そして、上記内、外カバー板２７，３１の各回動端側における上記内カバー板２７の保持口２８の円弧凹形状の口縁と上記外カバー板３１の直線的に延びる外端縁部との間に上記操作孔３５が形成される。
【符号の説明】
【００５５】
１    車両
２    車体
３    車室
４    固定側部材
５    インスツルメントパネル
１０  パネルコア
１１  パネル本体
１２  切り欠き開口
１４  小物
１５  小物
１６  小物
１７  小物収納、保持装置
１９  物置凹部
２０  底部板
２２  収納凹部
２３  開口
２４  下がり段差面
２６  枢支軸
２７  内カバー板
２８  保持口
３１  外カバー板
３２  嵌入凹部
３５  操作孔
３６  切り欠き
３７  切り欠き
４０  把手
Ａ    往回動
Ｂ    復回動
【図１】
2015003558.tif 000003
【図２】
2015003558.tif 000004
【図３】
2015003558.tif 000005
【図４】
2015003558.tif 000006
【図５】
2015003558.tif 000007